(57)【要約】【課題】カバーの再装着が容易でカバーを閉じたことの確認が容易な技術提供。【解決手段】ハウジング１０と、ハウジング１０に対してスライドし、スライド方向所定の位置で回動自在に開閉し、開状態にある時にカード２を挿抜可能なカバー２０と、カバー２０の一端に形成されて当該カバーをハウジングに支持する一対の支持片２４，２４と、一対の支持片２４，２４に形成され同一軸線上に位置する凸部２４ｂ，２４ｂと、ハウジング両側部１０ａ，１０ａにそれぞれ形成され凸部２４ｂと嵌合する一対の凹部１２，１３と、凸部２４ｂを一対の凹部１２，１３のうちの一方の凹部１３から他方の凹部１２に移動すると、凹部１２及び凸部２４ｂの嵌合によりカバー２０をハウジング１０に対して回動する回動機構２０Ａと、凸部２４ｂが凹部１２から凹部１３に移動すると、凹部１３及び凸部２４ｂの嵌合を契機にカバー２０を閉状態でロックするロック機構２０Ｂとを有する。【選択図】  図２
2004171865.tif 000002
【特許請求の範囲】
【請求項１】
基台となるハウジング（１０）と、
このハウジング（１０）に対してスライドし、スライド方向所定の位置で回動自在に開閉し、開状態にある時にカード（２）を挿抜可能なカバー（２０）と、
このカバー（２０）の一端に形成されて当該カバー（２０）を前記ハウジング（１０）に支持する一対の支持片（２４，２４）と、
当該一対の支持片（２４，２４）にそれぞれ形成され同一軸線上に位置する凸部（２４ｂ）と、
前記ハウジング（１０）の両側部（１０ａ，１０ａ）にそれぞれ形成され前記凸部（２４ｂ）と嵌合する一対の凹部（１２，１３）と、
前記凸部（２４ｂ）を前記一対の凹部（１２，１３）のうちの一方の凹部（１３）から他方の凹部（１２）に移動すると、前記他方の凹部（１２）及び前記凸部（２４ｂ）の嵌合により前記カバー（２０）を前記ハウジング（１０）に対して回動する回動機構（２０Ａ）と、
前記凸部（２４ｂ）が前記他方の凹部（１２）から前記一方の凹部（１３）に移動すると、前記一方の凹部（１３）及び前記凸部（２４ｂ）の嵌合を契機に前記カバー（２０）を閉状態でロックするロック機構（２０Ｂ）とを有するカードコネクタ（１）。
【請求項２】
前記一対の支持片（２４，２４）は、一端固定他端自由な支持片であって、それぞれが対向する側に曲折されたクランク形状をしていることを特徴とする請求項１に記載のカードコネクタ（１）。
【請求項３】
前記凸部（２４ｂ）及び前記凹部（１２，１３）は円錐形であることを特徴とする請求項１または２に記載のカードコネクタ（１）。
【請求項４】
前記凸部（２４ｂ）及び前記凹部（１２，１３）はそれぞれ扁平円形凸部及び扁平円形凹部であることを特徴とする請求項１または２に記載のカードコネクタ（１）。
【請求項５】
前記一方の凹部（１３Ａ，１３Ｂ，１３Ｂ’）は、一部が切り欠かれていることを特徴とする請求項１乃至４のいずれかに記載のカードコネクタ（１）。
【請求項６】
前記カバー（２０）は、金属製であり、その横断面が左右上方の三方で閉塞し下方で開口する形状にされ、当該横断面の左方に位置する左閉塞壁（２２ｌ）及び右方に位置する右閉塞壁（２２ｒ）の各自由端部をそれぞれ対向する側に鋭角で屈曲せしめて前記各閉塞壁に鈍角な屈曲部（２５’ｌ，２５’ｒ）を形成し、この屈曲部をカード挿抜時にカード（２）を案内するカード案内部（２５’ｌ，２５’ｒ）にすることを特徴とする請求項１乃至３のいずれかに記載のカードコネクタ（１）。
【請求項７】
前記カバー（２０’）は、その長手方向における前端及び後端にそれぞれ対向片（２７，２８）を有し、
その内の一方の対向片（２８）は、カバー（２０’）に差し込まれたカード（２）を他方の対向片（２７）側に付勢する板バネ（２８ａ）を有することを特徴とする請求項１乃至３のいずれかに記載のカードコネクタ（１Ｂ）。
【請求項８】
前記ハウジング（１０）の両側部（１０ａ，１０ａ）のうち前記他方の凹部（１２Ａ，１２Ｂ’）形成箇所の上面部（１０ａ１１）の外形線を円弧形状にすると共に当該上面部（１０ａ１１）の曲率中心と、前記円形な他方の凹部（１２Ａ，１２Ｂ’）の中心とが同じであることを特徴とする請求項１乃至５のいずれかに記載のカードコネクタ（１）。
【請求項９】
前記一対の凹部（１２，１３）の形成箇所（１０ａ，１０ａ）と前記凸部（２４ｂ）の形成箇所（２４，２４）とを入れ替えて、前記凸部（２４ｂ）を前記ハウジング両側部（１０ａ，１０ａ）に形成し、前記凹部（１２，１３）を前記一対の支持片（２４，２４）に形成することを特徴とする請求項１乃至８のいずれかに記載のカードコネクタ（１）。
【発明の詳細な説明】
【０００１】
【発明の属する技術分野】
本発明は、携帯型電話機等の携帯機器に用いるカードコネクタの技術に関する。
【０００２】
【従来の技術】
携帯機器のうち例えば携帯型電話機には、加入者識別情報の他に、電話番号、または着信音のメロディ情報等を記憶できる記憶用のメモリＩＣカードが備えられている。このメモリＩＣカードは、携帯型電話機本体に取り付けられたＩＣカード接続用コネクタ（以下「カードコネクタ」と称する）に対して挿抜可能であり、カードコネクタにメモリＩＣカードを挿入するとその中に記憶されている情報を利用することができる。
【０００３】
このため例えば携帯型電話機を新規電話機と交換した場合でも利用者はメモリＩＣカードに新たに情報の書込みや書換えを行う必要はない。すなわち、新規電話機の動作環境を整備する必要がないので便利である。
【０００４】
カードコネクタは、基台となるハウジングと、このハウジングに対して開閉し、開いたときに開口部からカードを挿抜可能なカバーとを備えている（例えば特許文献１参照）。
【０００５】
【特許文献１】
特開２０００−４８８７９号公報。
【０００６】
【発明が解決しようとする課題】
前記特許文献１に記載のカードコネクタは、ハウジングからカバーが外れないことを前提として作られている。よって、万一カバーが外れた場合には、ハウジングにカバーを再装着するのは面倒であった。
【０００７】
また、これまでの技術では、カードコネクタに装着されたカードがロック状態にあるか否かを確認する手立てがなかった。このため、従来のカードコネクタにあっては、ロックが不完全であることに起因して不用意にカバーが開いてしまうこともあった。
【０００８】
本発明は、上記実情に鑑みて為されたものであり、その解決しようとする課題は、カバーの脱落時の再装着が容易であり、またカバーが回動しえる状態、及びカバーが閉じられてロックされた状態にあることが容易に確認できる技術を提供することにある。
【０００９】
【課題を解決するための手段】
上記した課題を解決するために、本発明は以下の手段とした。
【００１０】
即ち、本発明のカードコネクタは、基台となるハウジングと、このハウジングに対してスライドし、スライド方向所定の位置で回動自在に開閉し、開状態にある時にカードを挿抜可能なカバーと、このカバーの一端に形成されて当該カバーを前記ハウジングに支持する一対の支持片と、当該一対の支持片にそれぞれ形成され同一軸線上に位置する凸部と、前記ハウジングの両側部にそれぞれ形成され前記凸部と嵌合する一対の凹部と、前記凸部を前記一対の凹部のうちの一方の凹部から他方の凹部に移動すると、前記他方の凹部及び前記凸部の嵌合により前記カバーを前記ハウジングに対して回動する回動機構と、前記凸部が前記他方の凹部から前記一方の凹部に移動すると、前記一方の凹部及び前記凸部の嵌合を契機に前記カバーを閉状態でロックするロック機構とを有する。
【００１１】
本発明のカードコネクタにあっては、ハウジングに取り付けられたカバーをスライドさせることで、カバーをハウジングに対して回動する回動機構と、カバーをハウジングに対して閉状態でロックするロック機構とを切り換えられるので、例えばスライド方向における一方向にカバーをスライドすればカバーはロックされるようになり、他方向にスライドすればカバーは回動できるようになるよう設定しておき、そのことを利用者に認識させておく。なおロックされる側へのスライド及び回動できる側へのスライドが一旦なされた後は、反対方向へのスライドしかできないようにしておけば、利用者は、予めわかっていたカバーのスライド方向と現在可能なスライド方向とから、カバーが現在ロック状態にあるのか回動可能状態にあるのかを認識できる。
【００１２】
また、本発明のカードコネクタは、回動用凹部またはロック用凹部と嵌合する凸部を一対の支持片にそれぞれ備えたため、凸部がハウジングの側面に乗り上げると、当該乗り上げた分、即ち凸部の高さ分一対の支持片が湾曲し、一対の支持片はその変形量に応じて弾性エネルギーを蓄えるようになる。このため、一対の支持片は、その凸部が凹部と嵌入する際には、蓄積されていた弾性エネルギーが一気に放出されるようになるので、凸部が凹部に嵌入する際にクリック感（節度感）のある嵌合が得られる。よって、カバーがハウジングに対してロック解除されたか否かを利用者に認識させることができる。
【００１３】
さらに、本発明のカードコネクタによれば、ハウジングに形成されている凹部と、カバーの一対の支持片にそれぞれ形成されている凸部との嵌合により、ハウジングとカバーとは一体化されている。
【００１４】
そして、凸部の形成されている一対の支持片は、それぞれが曲がり易い一端固定多端自由な支持片であるからハウジングからカバーが外れてしまった場合には、一対の支持片の間を拡開することでカバーをハウジングに容易に再装着できる。
【００１５】
さらにまた、前記一対の支持片の形状をそれぞれが対向する側、すなわちカバーの内側に曲折されたクランク形状にすれば、前記カバーをスライドすることにより前記凸部が回動用の他方の凹部とロック用の一方の凹部との間を移動する際に、前記凸部が前記ハウジングの側板に乗り上げた場合における、その乗り上げ量に起因して上記一対の支持片が弾性変形しても、上記一対の支持片同士の間の最大拡開幅がカバーの幅員内に収まるように凸部の高さ寸法と一対の支持片の長さ寸法を設定しておけば、ハウジングに対するカバー挿抜にあたって周囲の部品に一対の支持片が当たってしまうこともないため作業性が良好になる。
【００１６】
加えて、凸部及び前記凹部を円錐形にしておけば、凸部を凹部のどこからでも入れられるので、一層作業性は良くなる。前記凸部及び前記凹部はそれぞれ扁平円形凸部及び扁平円形凹部であってもよい。
【００１７】
また凹部及び凸部は、円錐形に限られるものでなく、これ以外にも、例えば扁平円形凸部及び扁平円形凹部にすることもできる。
【００１８】
そして、前記ロック用の一方の凹部の一部を切り欠いておけば、これがロック用の凹部であることを視認できるので、目視によっても前記回動用の他方の凹部と簡単に区別が付けられる。よって、スライド方向の間違いを防止し易くなる。
【００１９】
また、カバーを金属製にするとともに横断面（長手方向に対して直角な方向に切断した面のこと）で下方に向いたコの字状、すなわち左右上方の三方で閉塞し下方で開口する形状にし、当該横断面の左方に位置する左閉塞壁及び右方に位置する右閉塞壁の各自由端部をそれぞれ対向する側に鋭角で屈曲せしめて前記各閉塞壁に鈍角な屈曲部を形成し、この屈曲部をカード挿抜時にカードを案内するカード案内部にすることもできる。このようにすることでカバーにカードを挿入した時に前記カード案内部はカードの主面（以下カード主面）に対して異なった向きとなって対面しないので非接触状態になる。
【００２０】
カバーは板金を加工して形成され、またカード主面には電気端子であるコンタクトが配置されている。しかし、このようにカード案内部がカード主面と非接触状態にあれば、カード案内部が前記コンタクトと接触しようにも両者は向きが異なっておりかつ離れているので、ショートすることが無い。カード案内部がコンタクトと接触しなければ、前記コンタクトをカードの外周近傍にまで配置することも可能になる。よって、それだけカードにおけるコネクタの設計の自由度を高められる。
【００２１】
前記カバーは、その長手方向における前端及び後端にそれぞれ対向片を形成し、その内の一方の対向片に、カバーに差し込まれたカードを他方の対向片側に付勢する板バネを設けるようにしてもよい。
【００２２】
この場合、カードがカバーに入れられると、一方の対向片に形成された板バネの弾性力によりカードは他方の対向片の側に押しやられ、カードの反挿入側の端部は他方の対向片に弾発的に当接するようになる。このため、カードは板バネと他方の対向片との間に挟まれるようになるので、カバーから外れ難くなる。
【００２３】
また、ハウジングの前記両側部のうち前記他方の凹部形成箇所、すなわちカバーをハウジングに対して回動する回動機構を構成する箇所の上面部を円弧形状にすると共に当該上面部の曲率中心と、前記円形な他方の凹部の中心とを同じにしてもよい。
【００２４】
このようにすることで、前記一方の対向片をカバーに備えなくともカードを備えたカバーの回動ができる。詳しくは、カバーが前記一方の対向片を有しないと、カバーを開いた状態、すなわちカバーが傾いた状態では、カバー内のカードは、重力により後退し、その後端縁が、カバーから突出しその結果前記上面部に当接するようになる。
【００２５】
そして当該当接状態でカバーを回動しても、既述のごとく前記上面部の曲率中心と前記他方の凹部の中心（当該凹部に嵌合する前記凸部が形成された前記支持片を有するカバーの回動中心）とは同じ点で共通であるから、カバーの回動によりカバーを少し開いたことに起因してカードがカバー内を後方に移動し、もってハウジングの前記両側部のうち前記他方の凹部形成箇所の上面部にカードの後端縁が当接した後は、当該当接状態を維持しつつ、カバーの開閉に合わせてカードは前記上面部を時計回りに又は反時計回りに滑ることが可能になる。この結果、既述のように一方の対向片をカバーに設けなくてもカードを備えたカバーの回動を支障なくできる。
【００２６】
加えて、前記一対の凹部の形成箇所と前記凸部の形成箇所とを入れ替えて、前記凸部を前記ハウジングの両側部にそれぞれ形成し、前記一対の凹部を前記一対の支持片にそれぞれ形成することも考えられる。このようにすることにより設計の自由度が高まる。
【００２７】
【発明の実施の形態】
以下、図面を参照し、本発明であるカードコネクタの実施の形態（以下「実施形態」という）を説明する。
（第１の実施の形態）
【００２８】
図１から図２２を参照して本発明に係る第１の実施の形態（以下「第１実施形態」）を説明する。
【００２９】
図１に示すように、カードコネクタ１は、メモリＩＣカード（以下「ＩＣカード」と称する）２を例えば携帯型電話機３に取り付けるための装置であって、この実施形態では、携帯型電話機３の筐体３ａに形成した取付凹部３ｂに取り付けた状態を示す。
【００３０】
カードコネクタ１は、例えば図２に示すように、カード２を挿抜可能な金属製のカバー２０と、カバー２０の基台であり、かつモールド成型されたハウジング１０とを有する。
【００３１】
カバー２０は、例えば図１〜図４からわかるようにカード２よりも短い。またカバー２０とハウジング１０とはほぼ同じ長さ寸法である。
【００３２】
また、カバー２０は、例えば図５，図６，図８及び図９からわかるように、横断面でほぼコ字形を呈する。すなわちカバー２０は、カード２が挿入された時にカードの表裏面であるカード主面（図２参照）を覆う主面部２１と、主面部２１の両側縁から垂下してカード２の左右側面を覆う左右閉塞壁２２ｌ，２２ｒ（図３参照）とを有する。なおカード主面を符号２ｃ，２ｃで示し、その内、電気端子であるコンタクト３０のある側の主面を便宜上符号２ｃ’を用いて示し、コンタクト３０のない側の主面２ｃと区別する。
【００３３】
さらに、カバー２０はハウジング１０の長手方向に対してスライドし、スライド方向所定の位置でハウジング１０に対して自在に  回動する。詳しくは、カバー２０は、左右閉塞壁２２ｌ，２２ｒの一部としてそれらの後端に延在され、カバー２０の長手方向（カード２の挿抜方向）に延びる一端固定他端自由な板状をした一対の支持片２４，２４を有し、これら一対の支持片２４，２４の自由端部を結ぶ仮想の軸線を回動中心軸としてハウジング１０に対してカバー２０が回動することで開閉する。
【００３４】
なお、本明細書において前後とは、カバー２０のうちカード２が挿抜される開口２０ａの側が前であり、その反対側が後である。また、左右とは、カバー２０の開口２０ａに正対して右と左の側をいう。そして上下とは、カバー２０の開口２０ａに正対して上と下の側をいう。
【００３５】
各一対の支持片２４は、カバーの内側に曲折するクランク形状をしている。そして、その後端部２４ａはほぼ円形であり、そこには円錐形凸部２４ｂがプレス成形されている。各一対の支持片２４の円錐形凸部２４ｂ同士を結んだ線が前記軸線であり符号２４ｃで示す（図３，図５参照）。よって各円錐形凸部２４ｂは、カバー２０の一端縁に平行な同一の軸線２４ｃ上に位置する。また、一対の支持片２４がカバーの内側に曲折されたクランク形状をしている関係で、例えば図３に示すように、後端部２４ａ同士の間隔Ｗ１は、カバーの幅員Ｗ２よりも狭い。
【００３６】
さらにカバー２０は、図１，図５，図６，図８，図９からわかるように、左右閉塞壁２２ｌ，２２ｒの前端部下縁においてカバー２０の内側に直角に折り曲げられた左右のカード案内部２５ｌ，２５ｒを有する。
【００３７】
カード案内部２５ｌ，２５ｒは、図８に示すように、矩形状をした板部の一隅を切り落としたごとき板状部であり、カード２をカバー２０に対して挿抜する時にカード２をカバー２０内に案内し易くするとともに、カバー２０の回動時、カード２がカバー２０の下方に位置した時にカード２がカバー２０から落下しないようにするためのものである。
【００３８】
カバー２０にカード案内部２５ｌ，２５ｒを設けることにより、カバー２０の主面部２１と、左右閉塞壁２２ｌ，２２ｒと、カード案内部２５ｌ，２５ｒとから画成され、かつ下方に開口する空間部Ｓは断面チャネル（溝）状になる。よって、カード２はその主面２ｃ’の一部を除きカバー２０により囲繞されるとともにカード案内部２５ｌ，２５ｒを有するので、カバー２０に対してカード２の挿抜がし易くなる。
【００３９】
また例えば図２，図４，図５及び図９等からわかるように、左右閉塞壁２２ｌ，２２ｒの長手方向には、適度の間隔をあけて内側にわずかに曲折された横断面Ｌ字形の爪部２６を二つ有する。爪部２６は、カバー２０を閉じたときにハウジング１０に係止してカバー２０の閉状態を維持するためのものである。
【００４０】
次に、ハウジング１０について説明する。
【００４１】
図１０に示すように、ハウジング１０は、その全体形状が概略板状をしており、カバー２０を閉じたときにカード２と携帯型電話機３とを電気的に接続する。当該電気的な接続を実行するためにハウジング１０は複数（この実施形体では６本）のコンタクト１１を有する。
【００４２】
コンタクト１１は、ハウジング１０の中央に位置し、ほぼ中央で曲折されてＵ字形状をしている。コンタクト１１は、ハウジング１０に取り付けられた時に上側に位置し、カード２のコンタクト３０と電気的に接触するカード側接点部１１ａと、同下側に位置し携帯型電話機３の図示しないコンタクトと電気的に接触する電話機側接点部１１ｂとからなる。また、コンタクト１１をこのようにＵ字形にした関係で、カバー２０を閉じた時に弾性力を生じる。この弾性力は、カバー２０を閉じた時にコンタクト１１がカード２の前記コンタクトと確実に接触するように作用する。
【００４３】
板状のハウジング１０は、コンタクト１１が配置される矩形状のコンタクト配置部１０Ａと、コンタクト配置部１０Ａの両側に位置しかつコンタクト配置部１０Ａよりも後方に延びる一対のカバー取付け腕１０ａ，１０ａとからなる。カバー取付け腕１０ａはハウジング１０の側部といえる。
【００４４】
コンタクト配置部１０Ａは、その中央に前記コンタクト１１を収納する複数（この実施形形体では６つ）の収納溝が左右前後に整列して形成されており、これら各溝内でコンタクト１１が保持される。
【００４５】
カバー取付け腕１０ａは、横断面が矩形の柱形状をしている。そして、カバー取付け腕１０ａの後端部１０ａ１に支持された状態で、カバー２０が回動したりスライドしたりする。
【００４６】
カバー取付け腕１０ａは、その後端部１０ａ１の外側面における前後方向（長手方向）に配列されかつ隣接する２つの凹部１２，１３を有する。なお、この明細書では、凹部１２，１３を便宜上それぞれ他方の凹部および一方の凹部として取り扱う。他方の凹部１２よりも他方の凹部１３の方が前方に位置する。後端部１０ａ１はカバー取付け腕１０ａの他の部位よりも大きめなほぼ直方体形状をした部位である。
【００４７】
凹部１２は、この凹部１２にカバー２０の円錐形凸部２４ｂが嵌合することでカバー２０をハウジング１０に対して回動する回動機構２０Ａを構成する円錐形凹部である。よって凹部１２を特に断らない限り回動用円錐凹部１２という。
【００４８】
凹部１３は、カバー２０の閉状態をロックする際に円錐形凸部２４ｂと嵌合し、当該嵌合を契機にカバー２０をハウジング１０に対して閉状態でロックする、後述のロック機構２０Ｂを機能させる。よって凹部１３をロック用円錐凹部１３という。
【００４９】
また、カバー取付け腕１０ａは、その外側面の長手方向における略中央部にカバー２０の爪部２６が挿入される爪部挿入凹部１４Ａ，１４Ｂを有する。
【００５０】
爪部挿入凹部１４Ａは、上方，下方及び側方に開いており、その前部には、爪部挿入凹部１４Ａに爪部２６が挿入された際に爪部２６と係止してカバー２０の閉状態を保持する爪部係止部１４ａを有する。
【００５１】
爪部挿入凹部１４Ａのうち爪部係止部１４ａ以外の部位では、爪部２６は係止されずに解放された状態になる。よって、当該部位を爪部解放部と呼称し符号１４ｂで示す。このような爪部挿入凹部１４Ａは、その側面形状が矩形の四隅のうちの一隅部を矩形に除去したごとき形状である。
【００５２】
爪部係止部１４ａと爪部２６とは、共に前記ロック機構２０Ｂの構成部材である（図４，図１８，図２０参照）。図４に示すように、爪部係止部１４ａの爪部解放部１４ｂに爪部２６を入れた後、カバー２０をハウジング１０の長手方向における前方にスライドすることで爪部２６を爪部係止部１４ａに係止させると、カバー２０のハウジング１０に対する閉状態が維持される。
【００５３】
そして、その状態から爪部２６が爪部解放部１４ｂに位置するようにカバー２０をハウジング１０の長手方向における後方にスライドすると、爪部２６と爪部係止部１４ａとの前記係止が解かれるため、カバー２０を開けるようになる。
【００５４】
爪部挿入凹部１４Ｂは、爪部挿入凹部１４Ａとほぼ同じであるが、相違点は、後方に開いている点と、カバー２０のスライド方向に応じて、爪部２６を爪部係止部１４ａや爪部解放部１４ｂに案内するガイド部１４ｃを有することである。
【００５５】
爪部挿入凹部１４Ｂが後方にも開いているのは、爪部挿入凹部１４Ｂのさらに後方に他の爪部挿入凹部がないからである。この関係で、爪部挿入凹部１４Ｂに係る爪部解放部１４ｂは、爪部挿入凹部１４Ａに係る爪部解放部１４ｂよりも大きい。
【００５６】
次にカバー２０のハウジング１０への取り付けについて述べる。
【００５７】
カバー２０をハウジング１０に取り付けるには、カバー２０の一対の支持片２４，２４をハウジング１０の幅寸法よりも拡開する（図１１，図１２参照）。そして、図１２に示すように、一対の支持片２４の後端部２４ａに形成されている円錐形凸部２４ｂをハウジング１０の回動用円錐凹部１２の近傍に当接させた後、図１３に示すように回動用円錐凹部１２に向けて（図１１〜１３の例示では上から下に向けて）カバー２０を移動して嵌合する。当該嵌合により、カバー２０をハウジング１０に対して回動する前記回動機構２０Ａが形成される。なお、カバー２０の円錐形凸部２４ｂをハウジング１０のロック用円錐凹部１３に嵌合しても、カバー２０をハウジング１０に対して回動することはそれ自体可能であるが、正規な回動位置ではないので完全にカバー２０を閉じることができないようになっている。このため、カバー２０のハウジング１０に対する回動を確保するためには、カバー２０のハウジング１０への取り付けにあたり、円錐形凸部２４ｂを回動用円錐凹部１２に確実に嵌合することを要する。
【００５８】
回動機構２０Ａにより、カバー２０はハウジング１０に対して、軸線２４ｃを回動軸として時計回りに又は反時計回りに回動できるようになる。そしてカバー２０を回動することによってカバー２０がハウジング１０から離れた状態にある時には、カバー２０に対するカード２の挿抜ができる。そして、当該状態にカバー２０があるときをこの明細書ではカバー２０が開いた状態にあるという。
【００５９】
反対に開状態にあるカバー２０がハウジング１０に向けて回動することで、両者２０，１０が、重なり合った状態をカバー２０が閉じた状態にあるという。当該閉状態でロック機構２０Ｂが機能すると、カバー２０はハウジング１０に対して開かなくなり、カバー２０に対するカード２の抜き差しができなくなる。
【００６０】
次にカバー２０が回動機構２０Ａによる回動可能状態からロック機構２０Ｂによりロックされるまでの状態および反対にカバー２０がロックされた状態から回動できるようになるまでの状態を詳説する。
【００６１】
図２は、ロック機構２０Ｂによりカバー２０がハウジング１０にロックされて開かない状態を示す。当然ながらこのとき、円錐形凸部２４ｂ及びロック用円錐凹部１３は嵌合状態にある。
【００６２】
ロック機構２０Ｂによるロック状態を解除して非ロック状態にするには、図２〜図４の矢印Ａ方向にカバー２０をスライドする。すると、それまで嵌合状態にあった円錐形凸部２４ｂとロック用円錐凹部１３との嵌合が解かれて、図１４及び図１５に示すように、円錐形凸部２４ｂは、ロック用円錐凹部１３と回動用円錐凹部１２との間の狭間部１５に乗り上げる。
【００６３】
円錐形凸部２４ｂが狭間部１５に乗り上げると、一対の支持片２４は自由端部である後端部２４ａが外側に幾分変位し、支持片２４全体でわずかに外側に湾曲せしめられる。ただし、その変位量は、カバー２０の幅員Ｗ２内に収まるように、一対の支持片２４の長さ寸法や円錐形凸部２４ｂの高さ寸法が設定されている。また一対の支持片２４が湾曲しているとき、一対の支持片２４には弾性エネルギーが蓄えられる。
【００６４】
さらにカバー２０を矢印Ａ方向にスライドすると、それまで爪部係止部１４ａにあった爪部２６が爪部解放部１４ｂに変位する（図１８参照）。このため、ロック機構２０Ｂによるカバー２０のロックは解除される。また、ロック解除前にロック用円錐凹部１３と嵌合していた円錐形凸部２４ｂは、ロック用円錐凹部１３との嵌合が解かれて回動用円錐凹部１２と嵌合する。
【００６５】
円錐形凸部２４ｂの回動用円錐凹部１２との嵌合にあたり、湾曲により一対の支持片２４に蓄積されていた弾性エネルギーは一気に開放されて一対の支持片２４は変形前の元の状態に戻る。この結果、円錐形凸部２４ｂが回動用円錐凹部１２に衝突する。よって、利用者はクリック感（節度感）を覚えるため、カバー２０がロック解除されたか否かを認識できる。当該クリック感は、円錐形凸部２４ｂがロック用円錐凹部１３と嵌合する場合にも同様に認識できる。
【００６６】
円錐形凸部２４ｂと回動用円錐凹部１２との嵌合により、回動機構２０Ａが機能するようになる。
【００６７】
カードコネクタ１は、図４の状態にあっては、既述のようにカバー２０はロック状態にあるのでカバー２０は開かない。
【００６８】
また図１６〜図１９は、図４の状態からカバー２０をハウジング１０に対してその長手方向における後方にスライドすることで、回動機構２０Ａによりカバー２０を図４において時計回りに開くことができる状態にあることを示す。なお図１９は図１８の状態にあるカードコネクタの適所で切った縦断面図であり、ハウジング１０のＵ字形をしたコンタクト１１のカード側接点部１１ａと電話機側接点部１１ｂとが閉じた状態にあり、その状態でカード２のコンタクト３０（図１参照）とハウジング１０のコンタクト１１とが当接状態にあることを示す。
【００６９】
図２０は、図１８の状態からカバー２０を鋭角状態で開くことにより、カード２の挿入が矢印Ｃ方向において可能であり、矢印Ｄ方向においてカード２を抜くことが可能であることを示す。図２１は鋭角に開いた状態にあるカードコネクタを適所で切った縦断面図である。カバー２０を開いた状態ではハウジング１０のコンタクト１１がその弾性により拡開した状態にあることがわかる。
【００７０】
図２２は、カバー２０を鈍角状態で開きカバー２０を携帯型電話機３の筐体３ａに当接させた状態でもカード２の挿抜が矢印Ｃ及びＤ方向にできる状態にあることを示す。
【００７１】
開いた状態のカバー２０を閉じるときは、図２２においてカバー２０を時計回りに回動する。
【００７２】
カバー２０にカード２を挿入後カバー２０を閉じると、ハウジング１０のコンタクト１１とカード２のコンタクト３０とが接触し、もってカードコネクタ１とカード２との電気的接続がなされ、カードコネクタ１を介して携帯型電話機３とカード２との間で情報のやりとりが可能になる。
【００７３】
このような構成の第１の実施形態に係るカードコネクタ１にあっては、次のような作用効果を奏する。
【００７４】
カード２をカードコネクタ１のカバー２０に収納し、カバー２０を閉じる方向に回動して閉じた後、携帯型電話機３の筐体３ａに形成した取付凹部３ｂ内において図２や図４等で示した矢印Ｂ方向にカバー２０をハウジング１０に対してスライドすると、カバー２０はロック機構２０Ｂによってロックされた状態になる（図４参照）。なお、この状態でカード２のうちカード２が差し込まれる側と反対側の端縁である前端縁２ａが、携帯型電話機３の筐体３ａの内壁面３ａ１に当接する程近接するように、前記取付凹部３ｂにおけるカードコネクタ１の長さ寸法やカバー２０のスライド量等を設定しておけば、カバー２０からのカード２の抜けを確実に防止できる。
【００７５】
さらに、カードコネクタ１によれば、ハウジング１０に形成されている回動用円錐凹部１２と、カバー２０の一対の支持片に形成されている円錐形凸部２４ｂとの嵌合によりハウジング１０とカバー２０とは一体化されているけれども、円錐形凸部２４ｂは、曲がり易い一端固定他端自由な一対の支持片２４に形成されているので、ハウジング１０からカバー２０が外れてしまった場合には、一対の支持片２４，２４の間を拡開することでカバー２０をハウジング１０に容易に装着することができる。
【００７６】
さらにまた、前記一対の支持片２４，２４はその形状がカバー２０の内側に曲折されたクランク形状であるから、カバー２０をハウジング１０に対してスライドすることで円錐形凸部２４ｂがハウジング１０の側板のうち回動用円錐凹部１２とロック用円錐凹部１３との間の狭間部１５を移動する際に、円錐形凸部２４ｂが当該狭間部１５に乗り上げた際のその乗り上げ量に起因して一対の支持片２４，２４が拡開する方向に湾曲しても、一対の支持片２４，２４同士の間の最大拡開幅がカバー２０の幅員Ｗ２内に収まるように円錐形凸部２４ｂの高さ寸法と一対の支持片２４，２４の長さ寸法を設定してあるので、ハウジング１０に対するカバー２０の挿抜にあたって周囲の部品に湾曲した一対の支持片２４が当たってしまうことはない。したがって作業性が良好である。
【００７７】
加えて、円錐形凸部２４ｂ及び回動用円錐凹部１２が錐形状であるから、円錐形凸部２４ｂを回動用円錐凹部１２のどこからでも入れられる。よって、カードコネクタ１にあってはその組み立て作業性が良好になる。円錐形はその斜面の傾きを任意に設計できるため、円錐形凸部２４ｂ及び回動用円錐凹部１２の嵌合時の外れにくさと、カバー２０をハウジング１０に対してスライドした時のカバー２０の操作性を考慮した最適な傾きを選択できるので設計の自由度が広がる。
【００７８】
なお、カバー２０を図７に示すように変形することもできる。図７は図６に相当する横断面図である。
【００７９】
図７に係るカバー２０は、下方を向いたコの字状すなわち左右上方の三方で閉塞し下方で開口する形状をしている。そしてカバー２０の、横断面における自由端縁を外側から内側に向けて鋭角で折り曲げて鈍角な屈曲部２５’ｌ，２５’ｒを形成し、当該屈曲部２５’ｌ，２５’ｒを、カード挿抜時にカード２を案内するカード案内部にしてある。
【００８０】
図７より、カード案内部２５’ｌ，２５’ｒがカード２のコンタクト３０が設けられている側のカード主面２ｃ’と非接触状態にあることがわかる。要するに第１の変形例にあってはカード案内部の曲げ角度が相違する。
【００８１】
カバー２０は金属製であり、またカード２の主面２ｃ’には電気端子であるコンタクト３０が配置されている。しかし、このようにカード案内部２５’ｌ，２５’ｒがカード主面２ｃ’と非接触状態にあれば、カード案内部２５’ｌ，２５’ｒがカード主面２ｃ’にあるコンタクト３０と接触しようにも、カード案内部２５’ｌ，２５’ｒとコンタクト３０とは離れており、接触できないようになっているのでショートすることがない。
【００８２】
カード案内部２５’ｌ，２５’ｒがコンタクト１１と接触しなければ、コンタクト３０をカード２の中心部に限定することなく外周近傍にも配置することも可能になる。よって、それだけカード２におけるコンタクト３０の設計の自由度を高められる。
【００８３】
また、図９に図２のＩＸ−ＩＸ線に沿って切断した一部省略断面図を示す。
【００８４】
爪部２６がコンタクト３０に当接しないように、左右閉塞壁２２ｌ，２２ｒの長さ寸法をカード２の厚みよりも大きくすると好適である。
（第２の実施の形態）
【００８５】
図２３から図２８を参照して本発明カードコネクタの第２の実施の形態（以下「第２実施形態」）を説明する。本実施形態のカードコネクタを符号１Ａで示す。
【００８６】
第２実施形態に係るカードコネクタ１Ａが第１実施形態に係るカードコネクタ１と異なる点は、ハウジング１０に形成されている回動機構とロック機構の形態である。よって他の同一部分には同一符号を付して説明を省略する。
【００８７】
第１実施形態に係る回動機構では、回動用の凹部がロック用の凹部よりも後方にあったが、本実施形態では逆であり、回動用凹部がロック用凹部よりも前方にある。また、ロック用凹部の形状は開口が半円状の切欠円錐状であり、その形成位置は図２４に示すように、切り欠き側が後方を向いた状態で、カバー取付け腕１０ａの後端部１０ａ１の外形線にまで臨むようになっている。一方、回動用凹部は円錐形である。本実施形態に係る回動用凹部及びロック用凹部をそれぞれ符号１２Ａおよび１３Ａで示す。また、回動機構及びロック機構をそれぞれ符号２０Ａ’及び２０Ｂ’で示す。
【００８８】
また、本実施形態では、カバー取付け腕１０ａの長手方向において回動用凹部１２Ａがロック用凹部１３Ａよりも前方に位置する関係上、ロック機構の爪部係止部は、その形成箇所が爪部挿入凹部の後方に位置する。本実施形態では爪部係止部および爪部解放部をそれぞれ符号１４ａ’および１４ｂ’で示し、爪部挿入凹部を符号１４Ａ’，１４Ｂ’で示す。また、爪部挿入凹部１４Ａ’に係る爪部解放部１４ｂ’の方が，爪部挿入凹部１４Ｂ’に係る爪部解放部１４ｂ’よりも大きく、この点第１の実施形態の場合と逆である。
【００８９】
次に図２５〜図２８を参照して、本実施形態の作用効果を説明する。
【００９０】
図２５及び図２６はカバー２０のロック状態を示し、図２７及び図２８はカバー２０の非ロック（回動可能）状態を示し、それぞれカバー２０の回動前の状態及び回動している状態を示す。
【００９１】
カバー２０を非ロック状態にするには、カバー２０を図２６の矢印Ｂ方向にスライドする。すると、それまで嵌合状態にあった円錐形凸部２４ｂとロック用凹部１３Ａとの嵌合が解かれて、カバー２０の円錐形凸部２４ｂは、ロック用凹部１３Ａと回動用円錐凹部１２Ａとの間にある狭間部１５に乗り上げる（図示せず）。
【００９２】
このとき、第１実施形態と同様その乗り上げ量を含む各一対の支持片２４の後端部２４ａ同士の間隔Ｗ１は、カバー２０の幅員Ｗ２内に収まるようになっている。従って、第２実施形態に係るカードコネクタ１にあっても第１実施形態の場合と同様、携帯型電話機３への設置場所の面積が限られる場合に、カードコネクタ１の周囲に確保する必要のある空間を少なくできる。
【００９３】
カバー２０をさらに矢印Ｂ方向にスライドさせると、図２７に示すように円錐形凸部２４ｂは、回動用凹部１２Ａと嵌合する。このとき、前述のように、円錐形凸部２４ｂが回動用凹部１２Ａに嵌入する際にクリック感（節度感）が得られ、カバー２０がハウジング１０に対してロック解除されたか否かを利用者に認識させることができる。
【００９４】
円錐形凸部２４ｂと回動用凹部１２Ａとの嵌合により回動機構２０Ａ’を構成し、図２８のようにカバー２０を図２７の状態から反時計回りに回動し、もってカバー２０を開くことができる。
【００９５】
反対にカバー２０を閉じるときは、図２８の状態から時計回りにカバー２０を回動して図２７のようにカバー２０を閉じる。その後カバー２０を図２７の矢印Ａ方向にスライドし、図２６で示すようにロック機構２０Ｂを作動させカバー２０が開かないようにする。ロック機構２０Ｂが確実に機能しているか否かの判断も第１実施形態の場合と同様クリック感を認識することで実現する。
【００９６】
本実施形態に係るカードコネクタ１にあっては、ロック用凹部１３Ａが半円錐形状であるから、円錐形をした回動用凹部１２Ａとの形状差は歴然としている。よってカバー２０をハウジング１０に装着する際に、利用者はカバー２０の取付位置を間違えることがない。また、カバー取付け腕１０ａの長手方向における前後に回動用凹部１２Ａとロック用凹部１３Ａとは配置されており、ロック用凹部１３Ａは、その開口が半円状の切欠円錐状でかつ切り欠き側が後方を向いているので、それだけハウジング１０の長さ寸法を小さくできる。よってハウジング１０、延いてはカードコネクタ１の小型化ができる。また材料の節約になる。
（第３の実施の形態）
【００９７】
図２９から図３８を参照して本発明カードコネクタの第３の実施の形態（以下「第３実施形態」）を説明する。
【００９８】
図２９は本発明第３の実施形態に係るカードコネクタ１Ｂの全体斜視図であって、カバーを閉じた状態を示す。また、図３０はカバーを開いた状態を示すカードコネクタの一部切欠斜視図であり、図３１は図３０の矢印ＩＩＩＸＩ方向から見た状態でハウジング１０からカバー２０’を取り外した図である。さらに図３２はハウジングの全体斜視図であり、図３３は図３２の要部拡大斜視図である。
【００９９】
第３実施形態に係るカードコネクタ１Ｂが第２実施形態に係るカードコネクタ１Ａと異なる点は、回動機構とロック機構の形態、カバー内にカードが全部収納されるようになっている点、カバーの構成、これら相違点に関連する箇所にある。よって第２実施形態と同一部分には同一符号を付して説明を省略する。
【０１００】
図３３のカードコネクタ１Ｂの要部拡大斜視図からわかるように、カードコネクタ１Ｂでは回動機構を構成する回動用凹部は  扁平な円形凹部であり、ロック用凹部は回動用凹部を半分にした扁平な半円形凹部である。回動用凹部及びロック用凹部をそれぞれ符号１２Ｂ及び１３Ｂで示す。
【０１０１】
また、回動用凹部１２Ｂ及びロック用凹部１３Ｂが扁平凹部である関係上、一対の支持片２４の凸部もそれに合わせて高さは低い。当該凸部を符号２４ｂ’で示す。またこれまでの実施形態では当該凸部は円錐形であったが、回動用凹部１２Ｂやロック用凹部１３Ｂに合わせて扁平円柱凸部にしてもよいのは勿論である。要は凸部２４ｂ’と回動用凹部１２Ｂ又はロック用凹部１３Ｂとが好適に嵌合できればよい。また、回動用凹部１２Ｂとロック用凹部１３Ｂとはそれらの並び方向において二次面的に見て点接触（奥行き方向においては線接触）しているので、両凹部を離して形成した場合に比べ、ハウジング１０のカバー取付け腕１０ａの後端部１０ａ１の長さ寸法を短くできる。なお、両凹部を交叉させることも可能であり、この場合、後端部１０ａ１の長さ寸法をさらに短くできる。
【０１０２】
また、第３実施形態に係るロック機構は、第２実施形態に係るロック機構２０Ｂ’（図２６，図２７参照）と同種のものであるが、ロック機構を構成する爪部係止部１４ａ’を含む爪部挿入凹部の形成位置が、矩形状のコンタクト配置部１０Ａの長手方向における両端部近傍にある点で異なる。なお、本実施形態では、爪部挿入凹部の形態は、その形成位置に拘わらず第２実施形態の爪部挿入凹部１４Ｂ’と同一であるので同一符号を付して説明を省略する（図３４参照）。
【０１０３】
また、第３実施形態のカバーを符号２０’で示す。
【０１０４】
カバー２０’は、その長手方向における前端及び後端にそれぞれ対向片となる、庇片２７（他方の対向片）及びカード支持片２８（一方の対向片）を有する。
【０１０５】
庇片２７は、カバー２０’の前端縁からカバー２０’の主面部２１（図２９参照）に対して直角に折り曲げられた細長い板状片である。
【０１０６】
カード支持片２８は、カバー２０’の後端縁に設けられた横断面Ｌ字形をなす細長い板状片である。カード支持片２８は、カバー２０’の主面部２１との間でカード２を挟めるように主面部２１の内側に折り曲げられている。そして、カード支持片２８には、カバー２０’に差し込まれたカード２を庇片２７側に向けて付勢する板バネ２８ａをカード支持片２８のうちカバー２０’と連結されている連結部２８ｂに有する。板バネ２８ａは、連結部２８ｂの一部をＵ字形に切り欠いて上方に曲折した片持ち梁状の板バネである。
【０１０７】
このような構成の第３の実施形態に係るカードコネクタ１Ｂにあっては、第１及び第２の実施形態と同様の効果を得られる以外に次のような作用効果を奏する。
【０１０８】
すなわち、カード２はその先端がカード支持片２８と主面部２１との間に入ると、板バネ２８ａの弾性力によりカード２は庇片２７側に向けて押しやられる。このため、カード２はその両端がそれぞれ庇片２７及びカード支持片２８に弾発的に当接した状態になる。このため、カード２は板バネ２８ａと庇片２７との間に挟まれるようになり、よって第１実施形態で述べたカード案内部２５がなくても、当該弾発力を解除しない限りカード２はカバー２０’から落下しなくなる。
【０１０９】
カバー２０のロック及び解除の方法においては第１実施形態の場合と同様であるので、説明は省略する。
（第１変形例）
【０１１０】
図３４〜図３６を参照して第３実施形態に係る第１変形例のカードコネクタ１Ｂ’を説明する。このカードコネクタ１Ｂ’がカードコネクタ１Ｂと相違する点は、カード支持片に係わる箇所およびそれに関連する箇所だけである。よって、他の同一部分には同一符号を付して説明を省略する。本第１変形例のカード支持片を符号２８’で示す。
【０１１１】
カードコネクタ１Ｂ’のカード支持片２８’がカードコネクタ１Ｂのカード支持片２８と相違する点は、片持ち梁状の弾性片２８ｃを有する点である（図３４参照）。
【０１１２】
片持ち梁状の弾性片２８ｃは、カバー２０’を閉じた場合にカバーを開く方向に弾性を生じる。
【０１１３】
すなわち弾性片２８ｃは、カバー２０’が開いているときは、図３５に示すように”への字状”をしているが、カバー２０’を閉じると、カバー２０’とハウジング１０との間で挟まれて屈曲点２８ｃ１が図３６に示すように下方に変位するようになっている。このため、弾性片２８ｃは、カバー２０’が開いた状態にある時の弾性片２８ｃ（図３５参照）を反転したごとき形状になり（換言すれば弾性片２８ｃは、下方に鈍角で開いていた状態から上方に鈍角で開いた状態になる。）、カード支持片２８には弾性エネルギーが蓄積されるようになる。そしてこの時にカバー２０’が非ロック状態にないと当該弾性エネルギはカバー２０’を開くように作用する。
【０１１４】
よって、この第１の変形例にあっては、当該弾性エネルギがカバー２０’に作用することによりカバー２０’を開き易くなるという特有の効果を奏する。
【０１１５】
なお、ハウジング１０において弾性片２８ｃが当接する部位には溝１０ｂを形成してある。当該溝１０ｂは弾性片２８ｃに対応していればハウジング１０のどこにあってもよいが、この実施形態ではコンタクト配置部１０Ａのうち一方（右側）のカバー取付け腕１０ａの近傍に形成されている。
（第２変形例）
【０１１６】
第２変形例に係るカードコネクタを符号１Ｃ（図３７参照）で示す。
【０１１７】
また、図３８は、カードコネクタ１Ｃの要部拡大斜視図である。カードコネクタ１Ｃが第１変形例に係るカードコネクタ１Ｂ’と相違する主要な部分は、回動用凹部及びロック用凹部及びそれに伴う関連箇所だけである。よってカードコネクタ１Ｂ’と同一部分及び他の実施形態と同一部分には同一符号を付して説明を省略する。
【０１１８】
本変形例に係る回動用凹部１２Ｂ’及びロック用凹部１３Ｂ’が、第１変形例に係る回動用凹部１２Ｂ及びロック用凹部１３Ｂ（図３３参照）と相違する点は、（１）前者の回動用凹部１２Ｂ’にあっては、図３３に示す円形の回動用凹部１２Ｂにその中心点Ｃを交叉する仮想十字線Ｃ１の垂直線に沿って延びる扁平な縦溝（以下「扁平溝」と」称す）１６をカバー取付け腕１０ａの後端部１０ａ１に形成した点、（２）後者のロック用凹部１３Ｂ’にあっては、その形成箇所及び形状がロック用凹部１３Ｂの場合と異なる点にある。
【０１１９】
また、これら（１）及び（２）の相違に基づいて、カードコネクタ１Ｃにあっては、（３）ハウジング両側部である一対のカバー取付け腕１０ａ，１０ａに形成されている爪部挿入凹部の形態が相違する。
【０１２０】
扁平溝１６は横断面で劣弧形状をした浅めな溝であり、回動用凹部１２Ｂ’に一対の支持片２４の凸部を案内する案内溝として機能する。なお、凸部２４ｂ’を扁平な円柱形状とした場合、扁平溝１６の溝幅もそれに合わせて拡大することで、凸部２４ｂ’が溝１６内を通過できるようにすると好適である。
【０１２１】
なお、扁平溝１６はその横断面が劣弧形状をしたものを示したがこれに限定されないのは勿論である。要するに、回動用凹部１２Ｂ’に一対の支持片２４の凸部２４ｂ’を案内できる形状をした溝であればなんでもよい。
【０１２２】
扁平溝１６は、既述した各種実施形態にも適用できる。
【０１２３】
ロック用凹部１３Ｂ’は、回動用凹部１２Ｂ’の前方に形成され図３８に示した状態で、前方上部が９０°切り欠かれた一部切欠き円形状の凹部である。
【０１２４】
本第２変形例にあっては、回動用凹部１２Ｂ’の前方にロック用凹部１３Ｂ’があるので、第１実施形態で述べた場合と同様、爪部係止部１４ａ，爪部解放部１４ｂ及びガイド部１４ｃを有する一対の爪部挿入凹部１４Ｂが一対のカバー取付け腕１０ａ，１０ａに形成されている（図３７参照）。
【０１２５】
この第２変形例の場合も既述した第２実施形態の場合と同様、ロック用凹部１３Ｂ’が切り欠かれておりそのことが視認できるので、目視によっても前記回動用凹部１２Ｂ’と簡単に区別が付けられる。よって、スライド方向の間違いを防止し易くなる。また、回動用凹部１２Ｂ’とロック用凹部１３Ｂ’とはそれらの並び方向において二次面的に見て点接触（奥行き方向においては線接触）しているので、両凹部１２Ｂ’，１３Ｂ’を離して形成した場合に比べ、ハウジング１０のカバー取付け腕１０ａの後端部１０ａ１の長さ寸法を短くできる。よって材料の節約ができる。
【０１２６】
さらに、回動用凹部１２Ｂ’に支持片２４の凸部２４ｂ’を案内する案内溝として扁平溝１６が機能するので、扁平溝１６に支持片２４の凸部２４ｂ’を当てた状態で、回動用凹部１２Ｂ’に向けて凸部２４ｂ’を滑らせれば回動用凹部１２Ｂ’に支持片２４の凸部２４ｂ’が自動的に嵌合するようになる。よって回動用凹部１２Ｂ’と凸部２４ｂ’との嵌合を確実に行える。
【０１２７】
また、図３８に示すように、カバー取付け腕１０ａの後端部１０ａ１の上面部１０ａ１１の形状が横断面で円弧形状であり、その曲率中心（曲率半径Ｒ）と回動用凹部１２Ｂ’の中心（曲率半径ｒ）とは同じである。当該中心を符号Ｃで示す。
【０１２８】
このようにすることで、カード支持片２８’をカバー２０’に備えなくともカード２を備えたカバー２０’の回動ができる。詳述すると、カバー２０’がカード支持片２８’を有しないと、カバー２０’を開いた状態、すなわちカバー２０’が傾いた状態では、カバー内のカード２は、重力により後退し、その後端縁２ｂが、カバー２０’の後方から突出し、その結果前記上面部１０ａ１１に当接するようになる。
【０１２９】
そして当該当接状態でカバー２０’を回動しても、既述のごとく後端部１０ａ１の上面部１０ａ１１の曲率中心と回動用凹部１２Ｂ’の中心、すなわち当該凹部１２Ｂ’に嵌合する前記凸部２４ｂ’が形成された前記支持片２４を有するカバー２０’の回動中心とは既述のごとく同じ点Ｃで共通であるから、カバー２０’の回動によりカバー２０’を少し開くことに起因してカード２がカバー２０’内を後方に移動し、もってハウジング１０の前記一対のカバー取付け腕１０ａ，１０ａのうち、回動用凹部１２Ｂ’が形成されている箇所の上面部１０ａ１１にカード２の後端縁２ｂが当接した後は、当該当接状態を維持しつつ、カバー２０’の開閉に合わせてカード２は前記上面部１０ａ１１を時計回りに又は反時計回りに滑ることが可能になる（図３９，図４０参照）。この結果、既述のようにカード支持片２８’をカバー２０’に設けなくてもカード２を備えたカバー２０’の回動が支障なくできる。
【０１３０】
このように、ハウジングのカバー取付け腕のうち前記他方の凹部形成箇所の上面部の外形線を円弧形状にすると共に当該上面部の曲率中心と、前記円形な他方の凹部の中心とを同じにするという技術的思想は、既述した他の実施形態にも適用できる。
【０１３１】
例えば、わかりやすい例で、ハウジングのカバー取付け腕のうち前記他方の凹部形成箇所の上面部の外形線が丸みを帯びている図２４に示す本発明第２実施形態に係るハウジング１０に適用した場合を図４１を参照して述べると、ハウジング１０のカバー取付け腕１０ａのうち前記他方の凹部１２Ａ形成箇所の上面部１０ａ１１の曲率中心と、前記円形な他方の凹部１２Ａの中心とを同じにすることで適用できる。これらは共通であるので符号Ｃで示す。
【０１３２】
なお、回動用凹部１２Ｂ’と凸部２４ｂ’とが嵌合してなる本変形例に係る回動機構を符号２０Ａ”で示す。なお、本第２変形例にあってはロック機構には第１実施形態に係るロック機構２０Ｂが適用されている。
【０１３３】
また、前記した各実施形態で述べた一対の凹部１２，１３、１２Ａ，１３Ａ，１３Ｂ，１２Ｂ’，１３Ｂ’の形成箇所である一対のカバー取付け腕１０ａ，１０ａと、これらの凹部１２，１３、１２Ａ，１３Ａ，１３Ｂ，１２Ｂ’，１３Ｂ’に対応する前記凸部２４ｂや２４ｂ’の形成箇所である前記一対の支持片２４，２４とを入れ替えて、前記凸部２４ｂや２４ｂ’を一対のカバー取付け腕１０ａに形成し、前記凹部１２，１３、１２Ａ，１３Ａ，１３Ｂ，１２Ｂ’，１３Ｂ’を前記一対の支持片に形成してもよい。このようにすることで設計の自由度が高まる。
【０１３４】
【発明の効果】
以上、説明したように本発明のカードコネクタによれば、万が一カバーがハウジングから外れた場合でもカバーの脱落時の再装着が容易にできるので作業性が向上する。またハウジングの両側部に一対の凹部を設け、カバーには前記凹部と嵌合する凸部を設けて凹凸嵌合可能とし、当該凹凸嵌合の利用によって、カバーがハウジングに対して回動可能状態であることとロックされた状態で閉じられていることとが容易に確認できる技術を提供するという優れた効果を奏し得る。
【図面の簡単な説明】
【図１】本発明第１の実施形態に係るカードコネクタを携帯型電話機に適用した場合の一例を示す図である。
【図２】本発明第１の実施形態に係るカードコネクタにカードを挿入しカバーを閉じた状態の全体斜視図である。
【図３】図２の平面図である。
【図４】図１のＩＶ−ＩＶ線断面図である。
【図５】本発明第１の実施形態に係るカバーの全体斜視図である。
【図６】図５の矢印ＶＩ方向から見たカバー端面図である。
【図７】本発明第１の実施形態に係る変形例であって図６に相当する図である。
【図８】本発明第１の実施形態に係るカバーの裏面図である。
【図９】図２のＩＸ−ＩＸ線に沿って切断した一部省略断面図である。
【図１０】本発明第１の実施形態に係るハウジングの全体斜視図である。
【図１１】本発明第１の実施形態に係るカードコネクタの分解斜視図である。
【図１２】図１１の状態からカバーをハウジングに取り付ける直前の斜視図である。
【図１３】図１２の状態からカバーをハウジングに取り付けた状態を示す斜視図である。
【図１４】図２の状態においてカバーをスライドすることで、カバーをロック状態から回動可能状態に移行する中途状態を示す斜視図である。
【図１５】図１４の平面図である。
【図１６】図１４の状態からカバーをさらにスライドして、カバーが回動可能状態に移行した状態を示す斜視図である。
【図１７】図１６の平面図である。
【図１８】図４の状態からカバーをスライドし、回動機構によりカバーを開くことができる状態にあることを示す図である。
【図１９】図１８の状態におけるカードコネクタの縦断面図である。
【図２０】カバーを鋭角で開きカードの挿抜ができる状態を示す図である。
【図２１】鋭角状態におけるカードコネクタの縦断面図である。
【図２２】カバーを鈍角状態で開きカバーを携帯型電話機の筐体に当接させた状態でカードの挿抜ができる状態を示す図である。
【図２３】本発明第２の実施形態に係るカードコネクタにおいてカバーを鋭角で開いている状態を示す全体斜視図である。
【図２４】本発明第２の実施形態に係るハウジングの全体斜視図である。
【図２５】本発明第２の実施形態に係るカードコネクタにカードを挿入しカバーを閉じた状態の全体斜視図である。
【図２６】図２５の矢印ＩＩＸＶＩ方向から見た側面図である。
【図２７】図２６の状態からカバーをスライドし、カバーが回動可能状態に移行した状態を示す側面図である。
【図２８】図２７の状態からカバーを鋭角状態で開きカードの挿抜ができる状態を示す図である。
【図２９】本発明第３の実施形態に係るカードコネクタの全体斜視図であって、カバーを閉じた状態を示す図である。
【図３０】本発明第３の実施形態に係るカードコネクタの一部切欠斜視図であって、カードが挿入されている状態でカバーを開いた状態を示す図である。
【図３１】図３０の矢印ＩＩＩＸＩ方向から見たカバーの一部切り欠き図である。
【図３２】本発明第３の実施形態に係るハウジングの全体斜視図である。
【図３３】図３２の領域ＩＩＩＸＩＩＩ部分の拡大図である。
【図３４】本発明第３の実施形態に係るカードコネクタの第１の変形例を示す全体斜視図である。
【図３５】図３４の鈍角で開いているカバーを鋭角で開いた場合の縦断面図であって、カード支持片の弾性片を含む箇所での縦断面図である。
【図３６】図３５に係るカードコネクタを閉じている状態を示す縦断面図である。
【図３７】本発明第３実施形態における第２の変形例に係るカードコネクタの全体斜視図である。
【図３８】本発明第３実施形態における第２の変形例に係るカードコネクタの要部拡大斜視図であって図３３に相当する図である。
【図３９】図３７のＩＩＩＸＩＸ−ＩＩＩＸＩＸ線に沿って切断した垂直断面図である。
【図４０】図３９の状態からカバーを閉じた場合の垂直断面図である。
【図４１】第２変形例の適用例であって図２４の領域ＩＶＸＩ部分の拡大斜視図である。
【符号の説明】
１  カードコネクタ
１Ａ  カードコネクタ
１Ｂ  カードコネクタ
１Ｂ’  カードコネクタ
１Ｃ  カードコネクタ
２  カード
２ａ  カードの前端縁
２ｂ  カードの後端縁
２ｃ  カード主面
２ｃ’カード主面
３  携帯型電話機
３ａ  筐体
３ａ１  内壁面
３ｂ  取付凹部
１０  ハウジング
１０Ａ  コンタクト配置部
１０ａ  カバー取付け腕
１０ａ１  後端部
１０ａ１１  後端部の上面部
１０ｂ  溝
１１  ハウジングのコンタクト
１１ａ  カード側接点部
１１ｂ  電話機側接点部
１２  回動用円錐凹部
１２Ａ  回動用凹部
１２Ｂ  回動用凹部
１２Ｂ’  回動用凹部
１３  ロック用円錐凹部
１３Ａ  ロック用凹部
１３Ｂ  ロック用凹部
１３Ｂ’ロック用凹部
１４Ａ  爪部挿入凹部
１４Ｂ  爪部挿入凹部
１４Ａ’  爪部挿入凹部
１４Ｂ’  爪部挿入凹部
１４ａ  爪部係止部
１４ａ’  爪部係止部
１４ｂ  爪部解放部
１４ｂ’  爪部解放部
１４ｃ  ガイド部
１５  狭間部
１６  扁平溝
２０  カバー
２０’カバー
２０Ａ  回動機構
２０Ａ’回動機構
２０Ａ”回動機構
２０Ｂ  ロック機構
２０Ｂ’ロック機構
２０ａ  カバーの開口
２１  カバーの主面部
２２ｌ  カバーの左閉塞壁
２２ｒ  カバーの右閉塞壁
２４  一対の支持片
２４ａ  一対の支持片の後端部
２４ｂ  円錐形凸部
２４ｂ’  扁平凸部
２４ｃ  軸線
２５  カード案内部
２５ｌ  カード案内部
２５ｒ  カード案内部
２５’ｌ  カード案内部
２５’ｒ  カード案内部
２６  爪部
２７  庇片
２８  カード支持片
２８’  カード支持片
２８ａ  板バネ
２８ｂ  連結部
２８ｃ１  屈曲点
２８ｃ  弾性片
３０  カードのコンタクト
Ｃ  回動用凹部またはカバー取付け腕の後端部上面部の中心点
Ｃ１  仮想十字線
【図１】
2004171865.tif 000003
【図２】
2004171865.tif 000004
【図３】
2004171865.tif 000005
【図４】
2004171865.tif 000006
【図５】
2004171865.tif 000007
【図６】
2004171865.tif 000008
【図７】
2004171865.tif 000009
【図８】
2004171865.tif 000010
【図９】
2004171865.tif 000011
【図１０】
2004171865.tif 000012
【図１１】
2004171865.tif 000013
【図１２】
2004171865.tif 000014
【図１３】
2004171865.tif 000015
【図１４】
2004171865.tif 000016
【図１５】
2004171865.tif 000017
【図１６】
2004171865.tif 000018
【図１７】
2004171865.tif 000019
【図１８】
2004171865.tif 000020
【図１９】
2004171865.tif 000021
【図２０】
2004171865.tif 000022
【図２１】
2004171865.tif 000023
【図２２】
2004171865.tif 000024
【図２３】
2004171865.tif 000025
【図２４】
2004171865.tif 000026
【図２５】
2004171865.tif 000027
【図２６】
2004171865.tif 000028
【図２７】
2004171865.tif 000029
【図２８】
2004171865.tif 000030
【図２９】
2004171865.tif 000031
【図３０】
2004171865.tif 000032
【図３１】
2004171865.tif 000033
【図３２】
2004171865.tif 000034
【図３３】
2004171865.tif 000035
【図３４】
2004171865.tif 000036
【図３５】
2004171865.tif 000037
【図３６】
2004171865.tif 000038
【図３７】
2004171865.tif 000039
【図３８】
2004171865.tif 000040
【図３９】
2004171865.tif 000041
【図４０】
2004171865.tif 000042
【図４１】
2004171865.tif 000043